(57)【要約】【課題】撮像光学系とファインダ光学系の相対ズレが少なく、組み立て性や性能の保証がしやすいカメラのファインダ装置を提供する。【解決手段】撮像光学系の光軸方向の駆動に連動する複数のレンズを保持するファインダ光学系ユニットにおいて、該複数のレンズを光軸方向に駆動させるカム部材の相対移動により、ファインダ光学系の調整を行う。【選択図】図１
2004004351.tif 000002
【特許請求の範囲】
【請求項１】
撮影光学系の光軸方向の駆動に連動する複数のレンズを保持するファインダ光学系ユニットにおいて、該複数のレンズを光軸方向に駆動させるカム部材の相対移動により、前記ファインダ光学系の調整を行うことを特徴とするカメラのファインダ装置。
【請求項２】
請求項１に記載のカメラのファインダ装置において、前記カム部材の相対移動方向は、光軸の前後方向であることを特徴とするカメラのファインダ装置。
【請求項３】
請求項１に記載のカメラのファインダ装置において、前記ファインダ光学系の調整は、視度調整であることを特徴とするカメラのファインダ装置。
【請求項４】
請求項１に記載のカメラのファインダ装置において、前記カム部材の相対移動は、偏心ピンにより移動可能であることを特徴とするカメラのファインダ装置。
【請求項５】
請求項４に記載のカメラのファインダ装置において、前記偏心ピンは前記撮影光学系内の駆動部材上に配設されることを特徴とするカメラのファインダ装置。
【請求項６】
請求項１に記載のカメラのファインダ装置において、前記カム部材は、該複数のレンズを光軸方向に駆動させるカムを有する第１のカム部材と、前記撮影光学系の光軸方向の駆動に連動させるカムを有する第２のカム部材とを有し、該第２のカム部材上に有る前記第１のカム部材は相対移動可能に係止されていることを特徴とするカメラのファインダ装置。
【請求項７】
請求項６に記載のカメラのファインダ装置において、前記第１のカム部材の相対移動は、ネジの螺進により移動可能であることを特徴とするカメラのファインダ装置。
【請求項８】
請求項６に記載のカメラのファインダ装置において、前記第１のカム部材の相対移動は、偏心ピンにより移動可能であることを特徴とするカメラのファインダ装置。
【発明の詳細な説明】
【０００１】
【発明の属する技術分野】
本発明は、ズームレンズ鏡筒の変倍動作に連動して、ファインダ倍率を変更するカメラのファインダ装置に関するものである。
【０００２】
【従来の技術】
従来、多くのズームカメラにおいては、ファインダユニットに保持されたファインダズーム用のカムを撮影レンズ鏡筒のズーム駆動系或いはその鏡筒自身と、ギア等で連動していた。また撮影レンズ鏡筒上に保持されたファインダズーム用のカムを、その鏡筒に構成される直進筒と連動させて駆動し、ファインダのズーミングを行う構成としていた。
【０００３】
また、特開平２０００−０９８４５４号公報に提案されている複数のレンズ成分を保持するファインダユニットは、鏡筒内の直進筒と一体的に駆動されるカム部材を有し、そのカム部材は前記複数のレンズ成分を光軸方向に駆動するカムを有しているものが提案されている。
【０００４】
【発明が解決しようとする課題】
前述、特開平２０００−０９８４５４号公報では、ファインダユニット自体にファインダのレンズ成分を光軸方向に駆動するカム部材が保持されており、この場合鏡筒に相当する治工具などで、まずファインダユニット自体の相対位置を設定してから、その各位置での視度或いは視差の粗調整を行い、その後撮影レンズの鏡筒ユニットに組み込み最終的な微調整を行う構成である為、調整作業の工数が掛かる場合がある。又上記構成では、ファインダユニット状態で機能、性能を確認することが出来ても、実際の撮影レンズユニットとの連動部では、撮影レンズ自体或いは、撮影レンズの連動部のカム等の誤差によりファインダユニットの相対位置がズレてしまう為、調整作業が短縮されない場合がある。
【０００５】
本発明はこのような問題点に鑑みなされたもので、撮影光学系とファインダ光学系の相対ズレが少なく、組み立て性や性能の保証がしやすいカメラのファインダ装置を提供することを目的とする。
【０００６】
【課題を解決するための手段】
上述の目的を達成する為に請求項１に記載のカメラのファインダ装置において、撮影光学系の光軸方向の駆動に連動する複数のレンズを保持するファインダ光学系ユニットにおいて、該複数のレンズを光軸方向に駆動させるカム部材の相対移動により、ファインダ光学系の調整を行う構成としている。
【０００７】
この構成によれば、調整の為の余分な部品を設けることがないので、コストを上げることなく簡単な構成で出来る。
【０００８】
請求項２に記載のカメラのファインダ装置において、前記カム部材の相対移動方向は、光軸の前後方向での構成である。
【０００９】
この構成によれば、カム部材の前後方向の相対移動だけで、簡単に調整が出来る。
【００１０】
請求項３に記載のカメラのファインダ装置において、前記ファインダ光学系の調整は、視度調整の構成である。
【００１１】
この構成によれば、視度調整の為の余分な部品を設けることないので、コストを上げることなく簡単な構成で出来る。
【００１２】
請求項４に記載のカメラのファインダ装置において、前記カム部材の相対移動は、偏心ピンにより移動可能な構成としている。
【００１３】
この構成によれば、視度調整の為の余分な部品を設けることないので、コストを上げることなく簡単な構成で出来る。
【００１４】
請求項５に記載のカメラのファインダ装置において、前記偏心ピンは前記撮影光学系内の駆動部材上に配設される構成としている。
【００１５】
この構成によれば、視度調整の為の余分な部品を設けることがないので、コストを上げることなく簡単な構成で視度調整を行うことが出来る。
【００１６】
請求項６に記載のカメラのファインダ装置において、前記カム部材は、該複数のレンズを光軸方向に駆動させるカムを有する第１のカム部材と、前記撮影光学系の光軸方向の駆動に連動させるカムを有する第２のカム部材で構成され、該第２のカム部材上に有る前記第１のカム部材は、相対移動可能に係止されている構成としている。
【００１７】
この構成によれば、撮影光学系とファインダ光学系を駆動するカム部材を別々に構成することにより、最終的な撮影光学系に対してのファインダ光学系の視度補正を可能としている。
【００１８】
請求項７に記載のカメラのファインダ装置において、前記第１のカム部材の相対移動は、ネジの螺進により移動可能な構成としている。
【００１９】
この構成によれば、最終的な撮影光学系に対してのファインダ光学系の視度補正をカメラ全体の組み立て後でも簡単に調整することが出来る。
【００２０】
請求項８に記載のカメラのファインダ装置において、前記第１のカム部材の相対移動は、偏心ピンにより移動可能な構成としている。
【００２１】
この構成によれば、最終的な撮影光学系に対してのファインダ光学系の視度補正をカメラ全体の組み立て後でも簡単に調整することが出来る。
【００２２】
【発明の実施の形態】
以下、本発明であるカメラの実施例について図を参照して説明する。
【００２３】
図１は、本発明の本実施形態に係わるファインダ光学系の光学図である。
【００２４】
（Ａ）はファインダ光学系の広角側における配置図を示し、（Ｂ）はファインダ光学系の望遠側における配置図を示す。
【００２５】
まず図１について説明する。図中１は第１の対物レンズ、２は第２の対物レンズ、３は第３の対物レンズ、４は第４の対物レンズで同軸上に配置されている。この第２の対物レンズ２と第３の対物レンズは、各々カム板（不図示）の手段で撮影レンズ（不図示）のズーム動作に連動して所定のズーム倍率が得られる様に位置が変動する構成となっている。
【００２６】
５はプリズムであり、６はプリズム５の出力像を反転させる為のダハプリズムである。７はダハプリズム６の後段に配置されて、像を観察する為の接眼レンズである。
【００２７】
被写体像は第１の対物レンズ１→第２の対物レンズ２→第３の対物レンズ３→第４の対物レンズ４→プリズム５→ダハプリズム６を順次通過して接眼レンズ７に到達し、ユーザの瞳に入射される。第２の対物レンズ２と第３の対物レンズ３は撮影レンズの画角（ズーム倍率）に応じて図２の（Ａ）から（Ｂ）の範囲を移動する。すなわち、撮影レンズの画角に応じてファインダの画角が変化する。プリズム５では、第４の対物レンズ４からの入射光が内部で２回内面反射し、ダハプリズム６ではプリズム５からの入射光が内部で３回内面反射する。これにより、ユーザの瞳には正立正像の被写体像が入射する。
【００２８】
次に、図２〜図９を用いて、本発明によるファインダ装置の詳細構成について説明する。
【００２９】
図２は本発明の本実施形態であるファインダ上面視断面図、図３は本発明の第１の実施形態であるＷＩＤＥ時の部分斜視図、図４は本発明の第１の実施形態であるＴＥＬＥ時の部分斜視図，図５は本発明の第１の実施形態であるカム部材の上面透視図、図６は本発明の第１の実施形態であるレンズ鏡筒部沈胴状態斜視図、図７は本発明の第１の実施形態であるレンズ鏡筒部ＷＩＤＥ状態斜視図、図８は本発明の第１の実施形態であるレンズ鏡筒部ＴＥＬＥ状態斜視図である。
【００３０】
まず図２、図３、図４において、１１は第１、第２、第３、第４の対物レンズ群とプリズム５を保持する為のファインダベースＡであり、１２はダハプリズム１３と接眼レンズ１４を保持する為のファインダベースＢであり、ファインダベースＡ１１とファインダベースＢ１２は、不図示のパッチン等により係止される。またファインダベースＡ１１上には、撮影距離を測距するＡＦ投光レンズ１３とＡＦ受光レンズ１４が、配置されており本実施例では、ファインダベースＡ１１上にＡＦ投光レンズ１３は、一体に形成されている。また、ＡＦ受光レンズ１４は、ファインダベースＡ１１上に別体で保持されている。この構成に限らずファインダベースＡ１１上にＡＦ受光レンズ１４を一体に形成させても良いし、逆にＡＦ投光レンズ１３とＡＦ受光レンズ１４とを別体にして配置しても、同様の効果が得られる。次にファインダベースＢ１２上に保持されている接眼レンズ７は、光軸方向に移動可能に保持されて、ファインダベースＢ１２上に適度なクリックを持たせ回転可能に係止された視度調ツマミ１５に不図示のカム等などに接眼レンズ７を連動させて、視度調ツマミ１５を回転させることで、接眼レンズ７を光軸方向に前後させることが出来る。
【００３１】
撮影レンズ（不図示）のズーム動作に連動して所定のズーム倍率が得られる様に位置が変動する第２の対物レンズ２と第３の対物レンズ３の保持方法について説明する。
【００３２】
まず第２の対物レンズ２には、レンズ周囲から侵入する有害光をカットする為のマスクの効果も持たせた形状のマスク部材８を接着等によって係止し、保持部材１０に光軸方向に移動可能な嵌合で仮保持されて、その後方からバネ部材９上に形成されている複数の凸部（不図示）が、第２の対物レンズ２上に形成されているフランジ部（不図示）に適度な付勢力で当接して保持される。
【００３３】
次に図５〜図８を交えてファインダベースＡ１１上に光軸方向移動が可能なように対物レンズを保持する為の穴（不図示）が形成されている。このファインダベース１１上の穴（不図示）位置に合わせるようにして、第２の対物レンズ２の保持された状態である保持部材１０上に形成されている嵌合穴１０ｂと、第３の対物レンズ３上に形成されている嵌合穴３ｂにガイドバー１６を介して両対物レンズを保持している。ズーム連動時の両対物レンズの移動配置規制は、ガイドバー１６上に掛けられた圧縮バネ（不図示）によって、第２、第３の対物レンズが片寄せされ、保持部材１０と第３の対物レンズ３上のスリーブ１０ａ，スリーブ３ａにそれぞれ形成される係合ピン（不図示）がカム部材２５上に形成されているカム溝２５ａとカム溝２５ｂに当接されて、さらにカム部材２５の下面には、カム溝２５ｃが形成されており、そのカム溝２５ｃがレンズ鏡筒２０上に光軸方向に移動可能に保持された直進ピン２１が当接され、カメラのズーム動作によって、所定のズーム倍率を変えることが出来る。
【００３４】
次に、ファインダ対物のレンズ群とレンズ鏡筒との視度補正の方法を具体的に説明する。
【００３５】
まず、カム部材２５は、ファインダベースＡ１１上に光軸方向に摺動可能に保持されている。（不図示）
また、レンズ鏡筒２０上に配設された直進ピン２１は、偏心ピンになっておりレンズ鏡筒２０の駆動部材（不図示）に回転可能に係止されている。さらに、この直進ピン２１の頭部は、ドライバー等で回転させられる様に十字穴（不図示）が形成されている。
【００３６】
この構成により直進ピン２１を回転させること（図５のＡ→Ｂに移動）で、カム部材２５上に形成されているカム溝２５ａ、カム溝２５ｂが光軸方向に前後することで第２の対物レンズ２と第３の対物レンズ３の位置を変えてやることによって、簡単に視度補正をすることが可能となる。この実施例では、ファインダ対物レンズ構成枚数４枚あり、第１の対物レンズ１と第４の対物レンズ４は、ファインダベースＡ１１上に固定されており、第２の対物レンズ２と第３の対物レンズ３で視度補正しているが、本発明はこのファインダ光学系の構成に限定することなく、例えば、レンズ構成枚数に関係なく同様の効果を得ることが出来る。
【００３７】
次に図９は本発明の第２の実施形態であるＷＩＤＥ時の部分斜視図、図１０は本発明の第２の実施形態であるＴＥＬＥ時の部分斜視図，　図１１は本発明の第２の実施形態である第１および第２のカム部材の上面及び下面図、図１２は本発明の第２の実施形態である第１および第２のカム部材の側面側断面図である。
【００３８】
以下、ファインダ対物のレンズ群とレンズ鏡筒との視度補正の方法を具体的に説明する。
【００３９】
まず、第１のカム部材１７は、第２のカム部材１８に前後に摺動可能に保持されて、第１のカム部材１７と第２のカム部材１８の間にバネ２２が配設されており、矢印Ａ方向に付勢して、第２のカム部材１８上に形成される螺旋部にネジ部材１９が係止され、第１のカム部材１７に当接している。
【００４０】
この構成によりネジ部材１９を回転させること（図６のＡ→Ｂに移動）で、第１のカム部材１７上に形成されているカム溝１７ａ、カム溝１７ｂが光軸方向に前後することで第２の対物レンズ２と第３の対物レンズ３の位置を変えてやることによって、レンズ鏡筒２０にファインダユニットを取り付けた後でも簡単に視度補正をすることが可能となる。
【００４１】
次に図１３は本発明の第３の実施形態である第１および第２のカム部材の上面図である。構成は、第２の実施形態と同様の為、説明は割愛する。
【００４２】
この実施形態の視度補正方法は、第１のカム部材１７上に形成されている長穴１７ｃと長穴１７ｅ（不図示）があり、前記長穴１７ｅにネジ部材２４で第２のカム部材１８に固定されている。視度調整する場合は、まずネジ部材２４を緩めて、第１のカム部材１７が動作可能にして、長穴１７ｃに偏心ピン工具２３をカメラ上面から挿入して、偏心ピン２３を回転させることにより（図１３のＡ→Ｂ）、第１のカム部材が光軸方向に前後に可動し、位置が決まったらネジ部材２４を締めることで固定される。
【００４３】
また本実施例では、視度調整方法は、カメラ正面からネジ部材１９を回転させて調整しているが、カメラのレイアウト等により、カメラ正面に配置出来ない等の有る場合は、カメラ上面に偏心ピン２３などで調整出来、第２の実施形態と同様の効果が得られる。
【００４４】
なお、本発明は、フィルム以外の画像記録媒体であっても適用できるものである。また、本発明は、フィルムケース内にすべてのフィルムが予め収納されていて、磁気記録部が各フレームに対応して形成された形式のカートリッジや、これ以外の形式のカートリッジ、あるいはフィルム以外の画像記録媒体を有するカートリッジであっても適用できるものである。
【００４５】
また、本発明は、以上の実施の形態及び変形例、またはそれら技術要素を必要に応じて組み合わせるようにしてもよい。
【００４６】
また、本発明は、１眼レフカメラ、レンズシャッタカメラ、ビデオカメラ、デジタルカメラ等種々の形態のカメラ、更にはカメラ以外の光学機器やその他の装置、更にはそれらカメラや光学機器やその他の装置に適用される装置又は、これらを構成する要素に対しても適用できるものである。
【００４７】
【発明の効果】
以上説明したように、本願各発明によれば、撮影光学系に対してのファインダ光学系の視度補正（ズレ）を簡単な構成で調整することができ、組み立て或いは調整工数の削減にもつながる。また、カメラ全体を組み付けた後でも、簡単に調整することが可能なカメラのファインダ装置を提供することができる。
【図面の簡単な説明】
【図１】本発明の本実施形態に係わるファインダ光学系の光学図
【図２】本発明の本実施形態であるファインダ上面視断面図
【図３】本発明の第１の実施形態であるＷＩＤＥ時の部分斜視図
【図４】本発明の第１の実施形態であるＴＥＬＥ時の部分斜視図
【図５】本発明の第１の実施形態であるカム部材の上面透視図
【図６】本発明の第１の実施形態であるレンズ鏡筒部沈胴状態斜視図
【図７】本発明の第１の実施形態であるレンズ鏡筒部ＷＩＤＥ状態斜視図
【図８】本発明の第１の実施形態であるレンズ鏡筒部ＴＥＬＥ状態斜視図
【図９】本発明の第２の実施形態であるＷＩＤＥ時の部分斜視図
【図１０】本発明の第２の実施形態であるＴＥＬＥ時の部分斜視図
【図１１】本発明の第２の実施形態である第１および第２のカム部材の上面及び下面図
【図１２】本発明の第２の実施形態である第１および第２のカム部材の側面側断面図
【図１３】本発明の第３の実施形態である第１および第２のカム部材の上面図
【符号の説明】
１　第１の対物レンズ
２　第２の対物レンズ
３　第３の対物レンズ
４　第４の対物レンズ
５　プリズム
６　ダハプリズム
７　接眼レンズ
８　マスク部材
９　バネ部材
１０　保持部材
１１　ファインダベースＡ
１２　ファインダベースＢ
１３　ＡＦ投光レンズ
１４　ＡＦ受光レンズ
１５　視度調ツマミ
１６　ガイドバー
１７　第１のカム部材
１８　第２のカム部材
１９　ネジ部材
２０　レンズ鏡筒
２１　直進ピン
２２　バネ
２３　偏心ピン
２４　ネジ部材
２５　カム部材
【図１】
2004004351.tif 000003
【図２】
2004004351.tif 000004
【図３】
2004004351.tif 000005
【図４】
2004004351.tif 000006
【図５】
2004004351.tif 000007
【図６】
2004004351.tif 000008
【図７】
2004004351.tif 000009
【図８】
2004004351.tif 000010
【図９】
2004004351.tif 000011
【図１０】
2004004351.tif 000012
【図１１】
2004004351.tif 000013
【図１２】
2004004351.tif 000014
【図１３】
2004004351.tif 000015